(57)【要約】      （修正有）【課題】より適切な除電を行うことができる媒体搬送装置を提供する。【解決手段】媒体搬送装置１０は、媒体Ｐを搬送路に沿って搬送する送りローラー２８，３０，３４，３８と、前記送りローラー２８，３０，３４，３８により搬送される媒体Ｐを除電する除電部材４４と、前記除電部材４４が着脱可能に取り付けられる取付部６４と、記取付部６４における前記除電部材４４の取付位置及び取付姿勢の少なくともいずれかを切換可能な切換手段とを備えている。前記切換手段は、搬送される前記媒体Ｐの面に対して交差する方向において前記除電部材４４の位置を複数の位置に切換可能に構成されている。また、前記切換手段は搬送される前記媒体Ｐの面に対して前記除電部材４４の前記取付姿勢を切換可能に構成されている。【選択図】図３
2017071461.tif 000002
【特許請求の範囲】
【請求項１】
媒体を搬送路に沿って搬送する送りローラーと、
前記送りローラーにより搬送される媒体を除電する除電部材と、
前記除電部材が着脱可能に取り付けられる取付部と、
前記取付部における前記除電部材の取付位置及び取付姿勢の少なくともいずれかを切換可能な切換手段と、
を備える、
ことを特徴とする媒体搬送装置。
【請求項２】
請求項１に記載の媒体搬送装置において、前記切換手段は、搬送される前記媒体の面に対して交差する方向において前記除電部材の位置を複数の位置に切換可能に構成されている、
ことを特徴とする媒体搬送装置。
【請求項３】
請求項１または請求項２に記載の媒体搬送装置において、前記切換手段は、搬送される前記媒体の面に対して前記除電部材の前記取付姿勢を切換可能に構成されている、
ことを特徴とする媒体搬送装置。
【請求項４】
請求項３に記載の媒体搬送装置において、前記切換手段は、前記除電部材を前記媒体の搬送方向に倣う方向に傾斜した姿勢に切換可能に構成されている、
ことを特徴とする媒体搬送装置。
【請求項５】
請求項１から請求項４のいずれか一項に記載の媒体搬送装置において、前記切換手段は、搬送される前記媒体の搬送方向に対して交差する方向に沿って前記除電部材の位置を複数の位置に切換可能に構成されている、
ことを特徴とする媒体搬送装置。
【請求項６】
請求項１から請求項５のいずれか一項に記載の媒体搬送装置において、前記切換手段は、少なくとも１つの掛止部と、前記掛止部と係合し、前記媒体の面と交差する方向又は前記媒体の搬送方向と交差する方向において前記除電部材の位置決めを行う複数の被掛止部と、
を備える、
ことを特徴とする媒体搬送装置。
【請求項７】
請求項１から請求項５のいずれか一項に記載の媒体搬送装置において、前記切換手段は、前記媒体の面と交差する方向に延びる長穴状の被係合部と、前記被係合部に受け入れられ、前記被係合部内における該被係合部との係合位置を前記交差する方向において変位可能な係合部と、
を備える、
ことを特徴とする媒体搬送装置。
【請求項８】
請求項１から請求項７のいずれか一項に記載の媒体搬送装置において、前記除電部材は、前記取付部に取り付けられる基体部と、前記基体部に着脱可能に取り付けられるブラシ部と、
を備える、
ことを特徴とする媒体搬送装置。
【請求項９】
請求項１から請求項８のいずれか一項に記載の媒体搬送装置において、前記除電部材は、前記媒体の搬送方向と交差する方向において複数に分割可能に構成されている、
ことを特徴とする媒体搬送装置。
【請求項１０】
請求項１から請求項９のいずれか一項に記載の媒体搬送装置と、
前記搬送路に沿って搬送される媒体を読取可能な画像読取手段と、
を備える、
ことを特徴とする画像読取装置。
【請求項１１】
請求項１から請求項９のいずれか一項に記載の媒体搬送装置と、
前記搬送路に沿って搬送される媒体に記録を実行する記録ヘッドと、
を備える、
ことを特徴とする記録装置。
【発明の詳細な説明】
【技術分野】
【０００１】
本発明は、媒体を搬送する媒体搬送装置、並びにこれを備えた画像読取装置及び記録装置に関する。
【背景技術】
【０００２】
従来、媒体の面を読み取る画像読取装置、いわゆるスキャナーには、媒体を搬送経路に沿って搬送し、装置内に設けられた画像読取部で媒体の少なくとも一方の面を読み取るシートフィードスキャナーと呼ばれるものがある。
【０００３】
このシートフィードスキャナーでは、送りローラーにより前記媒体を前記搬送路に沿って画像読取手段まで搬送し、該画像読取手段により前記媒体の面を読み取る。前記媒体が前記送りローラーにより搬送方向下流側に搬送される際、前記媒体と前記送りローラーとの間には摩擦力が生じている。この摩擦力により前記媒体には静電気が生じる。そして、前記媒体は帯電した状態となる。
【０００４】
また、前記媒体は前記搬送路に沿って搬送される際、該搬送路の一部と接触することにより前記媒体と前記搬送路との間にも摩擦力が生じる。そして、この摩擦力によっても前記媒体には静電気が生じ、帯電させられる。
【０００５】
帯電した状態で前記媒体が搬送されると、前記搬送路の一部に前記媒体が貼り付き、前記媒体の搬送が阻害される虞がある。また、前記帯電した媒体が排紙トレイに排出されると、排出された媒体の一部が丸まり、前記排紙トレイにおける前記媒体の積載状態が乱れ、その結果、搬送路における紙詰まりの要因となる虞がある。
【０００６】
そこで、これらの問題に対して、除電ブラシ（除電部材）を画像形成装置のシート搬送路の排出口に設けたものがある（特許文献１参照）。
【先行技術文献】
【特許文献】
【０００７】
【特許文献１】特開２００７−１２１７１６１号公報
【発明の概要】
【発明が解決しようとする課題】
【０００８】
特許文献１に記載の除電ブラシは、シート搬送路の排出口において該シート搬送路を形成する上面部材に形成された垂直部に両面粘着テープを介して貼り付けられている。また、前記垂直部には複数の突起が設けられている。前記除電ブラシは、該除電ブラシの下側辺を複数の突起の上面に接触させながら垂直部に貼り付けることにより前記垂直部に対して位置決めされる。
【０００９】
ところで、除電ブラシは、搬送する媒体の厚みや材質などによって、適切な材質、取り付け位置、取り付け姿勢などが異なる場合がある。しかしながら、特許文献１に記載の除電ブラシは、前記垂直部に両面粘着テープで貼り付けられている。このため、上述のように搬送する媒体の厚みや材質等に応じて適切な除電を行うという要請に応えることができなかった。
【００１０】
本発明は、上記問題点に鑑みてなされたもので、より適切な除電を行うことができる媒体搬送装置を提供することを目的とする。
【課題を解決するための手段】
【００１１】
上記課題を達成するため、本発明の第１の態様の媒体搬送装置は、媒体を搬送路に沿って搬送する送りローラーと、前記送りローラーにより搬送される媒体を除電する除電部材と、前記除電部材が着脱可能に取り付けられる取付部と、前記取付部における前記除電部材の取付位置及び取付姿勢の少なくともいずれかを切換可能な切換手段とを備えることを特徴とする。
【００１２】
本態様によれば、前記取付部における前記除電部材の取付位置及び取付姿勢の少なくともいずれかを切換可能な切換手段を備えているので、前記取付部における前記除電部材の取付位置及び取付姿勢の少なくともいずれかを容易に調整できる。その結果、前記媒体搬送装置において要求される除電性能に応じた除電部材を前記取付部に配置できるので、前記媒体搬送装置の除電性能を良好にできる。
【００１３】
本発明の第２の態様の媒体搬送装置は、第１の態様において、前記切換手段は、搬送される前記媒体の面に対して交差する方向において前記除電部材の位置を複数の位置に切換可能に構成されていることを特徴とする。
【００１４】
本態様において「媒体の面に対して交差する方向」とは、媒体の面に対して垂直に交わる方向だけでなく、媒体の搬送方向上流側に向けて前記媒体の面に対して傾斜して延びる方向及び搬送方向下流側に向けて前記媒体の面に対して傾斜して延びる方向も含まれている。
【００１５】
また、本態様によれば、前記切換手段は、搬送される前記媒体の面に対して交差する方向において前記除電部材の位置を複数の位置に切換可能に構成されているので、前記取付部において前記除電部材の除電性能を充分に発揮できる位置に前記除電部材を配置できるので、前記媒体搬送装置における除電性能を向上させることができる。
【００１６】
本発明の第３の態様の媒体搬送装置は、第１または第２の態様において、前記切換手段は、搬送される前記媒体の面に対して前記除電部材の前記取付姿勢を切換可能に構成されていることを特徴とする。
【００１７】
本態様によれば、前記切換手段は、搬送される前記媒体の面に対して前記除電部材の前記取付姿勢を切換可能に構成されているので、前記除電部材の取付姿勢を切り換えることにより、前記媒体搬送装置における前記除電部材の除電性能を調整できる。
【００１８】
本発明の第４の態様の媒体搬送装置は、第３の態様において、前記切換手段は、前記除電部材を前記媒体の搬送方向に倣う方向に傾斜した姿勢に切換可能に構成されていることを特徴とする。
【００１９】
本態様によれば、前記切換手段は前記除電部材を前記媒体の搬送方向に倣う方向に傾斜した姿勢に切換可能に構成されているので、前記除電部材の取付姿勢を前記媒体の搬送方向に倣う方向に傾斜した姿勢とした場合、前記除電部材と搬送される前記媒体とが接触する際に生じる擦過音を低減できる。
【００２０】
本発明の第５の態様の媒体搬送装置は、第１から第４のいずれか一の態様において、前記切換手段は、搬送される前記媒体の搬送方向に対して交差する方向に沿って前記除電部材の位置を複数の位置に切換可能に構成されていることを特徴とする。
【００２１】
本発明の第６の態様の媒体搬送装置は、第１から第５のいずれか一の態様において、前記切換手段は、少なくとも１つの掛止部と、前記掛止部と係合し、前記媒体の面と交差する方向又は前記媒体の搬送方向と交差する方向において前記除電部材の位置決めを行う複数の被掛止部とを備えることを特徴とする。
【００２２】
本態様によれば、前記切換手段は前記媒体の面と交差する方向又は前記媒体の搬送方向と交差する方向における複数の被掛止部と少なくとも１つの掛止部とを係合させるので、前記除電部材の位置決めを容易に行うことができるとともに前記切換手段の構成を簡素化でき、コストダウンを図ることができる。
【００２３】
本発明の第７の態様の媒体搬送装置は、第１から第５のいずれか一の態様において、前記切換手段は、前記媒体の面と交差する方向に延びる長穴状の被係合部と、前記被係合部に受け入れられ、前記被係合部内における該被係合部との係合位置を前記交差する方向において変位可能な係合部とを備えることを特徴とする。
【００２４】
本態様によれば、前記係合部は前記媒体の面と交差する方向に延びる長穴状の被係合部に受け入れられて、前記被係合部との係合位置を前記交差する方向において変位可能であるので、前記除電部材の位置及び姿勢の少なくともいずれかを前記交差する方向において容易に調整できる。また、前記切換手段の構成を簡素化でき、コストダウンを図ることができる。
【００２５】
本発明の第８の態様の媒体搬送装置は、第１から第７のいずれか一の態様において、前記除電部材は、前記取付部に取り付けられる基体部と、前記基体部に着脱可能に取り付けられるブラシ部とを備えることを特徴とする。
【００２６】
本態様によれば、前記除電部材において前記ブラシ部は前記基体部に着脱可能に取り付けられるので、前記ブラシ部が摩耗した際、前記除電部材において前記ブラシ部のみを交換すればよいので、コストダウンを図ることができる。
【００２７】
本発明の第９の態様の媒体搬送装置は、第１から第８のいずれか一の態様において、前記除電部材は、前記媒体の搬送方向と交差する方向において複数に分割可能に構成されていることを特徴とする。
【００２８】
本態様によれば、前記除電部材は前記媒体の搬送方向と交差する方向において複数に分割可能に構成されている。ここで、例えば、複数のサイズの媒体を搬送可能な前記媒体搬送装置において、前記複数のサイズの媒体が該媒体の搬送方向と交差する方向において前記搬送路の中央部分を通過するように構成されている場合、前記搬送路の中央部分に対応する前記除電部材はその他の部分の除電部材よりも摩耗が大きくなる。本態様では、摩耗した部分を交換でき、摩耗していない部分は継続して使用可能であるので、前記除電部材における交換部位を少なくできるのでコストダウンを図ることができる。
【００２９】
本発明の第１０の態様の画像読取装置は、第１から第８のいずれか一の態様における媒体搬送装置と、前記搬送路に沿って搬送される媒体を読取可能な画像読取手段とを備えることを特徴とする。
【００３０】
本発明の第１１の態様の記録装置は、第１から第８のいずれか一の態様における媒体搬送装置と、前記搬送路に沿って搬送される媒体に記録を実行する記録ヘッドとを備えることを特徴とする。
【図面の簡単な説明】
【００３１】
【図１】本発明に係る画像読取装置の非給送状態における外観斜視図。
【図２】本発明に係る画像読取装置の給送可能状態における外観斜視図。
【図３】本発明に係る画像読取装置の媒体の搬送路を示す側断面図。
【図４】本発明に係る画像読取装置における排出口周辺を示す斜視図。
【図５】除電部材を示す斜視図。
【図６】（Ａ）は除電部材の断面を示す断面斜視図であり、（Ｂ）はブラシ部を示す斜視図。
【図７】第１の実施例における取付部に対する除電部材の位置切換を示す断面図。
【図８】本発明に係る画像読取装置における除電の経路を示す斜視図。
【図９】除電部材におけるアース部の変更例を示す斜視図。
【図１０】（Ａ）は取付部において用紙幅方向における切換前の除電部材の位置を示す平面図であり、（Ｂ）は用紙幅方向における切換後の除電部材の位置を示す平面図。
【図１１】（Ａ）はブラシ部の姿勢切換前の姿勢を示す側面図であり、（Ｂ）はブラシ部の姿勢切換後の姿勢を示す側面図。
【図１２】本発明に係る除電部材を備える記録装置を示す概要図。
【発明を実施するための形態】
【００３２】
以下、本発明の実施の形態を図面に基づいて説明する。尚、各実施例において同一の構成については、同一の符号を付し、最初の実施例においてのみ説明し、以後の実施例においてはその構成の説明を省略する。
【００３３】
図１は本発明に係る画像読取装置の非給送状態における外観斜視図であり、図２は本発明に係る画像読取装置の給送可能状態における外観斜視図であり、図３は本発明に係る画像読取装置の媒体の搬送路を示す側断面図であり、図４は本発明に係る画像読取装置における排出口周辺を示す斜視図であり、図５は除電部材を示す斜視図であり、図６（Ａ）は除電部材の断面を示す断面斜視図であり、図６（Ｂ）はブラシ部を示す斜視図である。
【００３４】
また、図７は第１の実施例における取付部に対する除電部材の位置切換を示す断面図であり、図８は本発明に係る画像読取装置における除電の経路を示す斜視図であり、図９は除電部材におけるアース部の変更例を示す斜視図であり、図１０（Ａ）は取付部において用紙幅方向における切換前の除電部材の位置を示す平面図であり、図１０（Ｂ）は用紙幅方向における切換後の除電部材の位置を示す平面図であり、図１１（Ａ）はブラシ部の姿勢切換前の姿勢を示す側面図であり、図１１（Ｂ）はブラシ部の姿勢切換後の姿勢を示す側面図であり、図１２は本発明に係る除電部材を備える記録装置を示す概要図である。
【００３５】
また、各図において示すＸ−Ｙ−Ｚ座標系はＸ方向が装置幅方向であるとともに用紙幅方向、Ｙ方向が画像読取装置の奥行き方向及び用紙搬送方向、Ｚ方向が装置高さ方向を示している。尚、各図において−Ｙ方向を装置前面側とし、＋Ｙ方向側を装置背面側とする。
【００３６】
■■■第１の実施例■■■■
＜＜＜画像読取装置の概要＞＞＞
図１ないし図３を参照して「媒体搬送装置」の一例である画像読取装置１０について説明する。本実施例において画像読取装置１０は、「媒体」としての用紙Ｐの表面及び裏面の少なくとも一面を読み取り可能なドキュメントスキャナーとして構成されている。画像読取装置１０は、下部ユニット１２と、上部ユニット１４と、カバー部１６と、排紙トレイ１８とを備えている。
【００３７】
上部ユニット１４は下部ユニット１２に対して用紙搬送方向下流側を回動支点として回動可能に下部ユニット１２に取り付けられている。上部ユニット１４は、下部ユニット１２に対して閉じて下部ユニット１２とともに用紙Ｐの「搬送路」としての用紙搬送路を構成する閉状態（図２参照）と、下部ユニット１２に対して装置前面側（図２における反時計回り方向）に回動して用紙Ｐの用紙搬送路を露呈させて用紙Ｐの紙詰まりの処理を容易に行うことができる開状態（不図示）とを取り得る。
【００３８】
下部ユニット１２の背面側の上部にはカバー部１６が設けられている。カバー部１６は、下部ユニット１２に対して回動可能に下部ユニット１２に取り付けられている。カバー部１６は、図１に示すように上部ユニット１４の上部及び給送口２０（図２及び図３参照）を覆う非給送状態と、図２に示すように非給送状態から装置背面側に回動し、給送口２０を開放するとともにカバー部１６の裏面１６ａが用紙Ｐの載置部２２を構成する給送状態とを取り得る。
【００３９】
また、下部ユニット１２の装置前面側には用紙Ｐを排出する排出口２４が設けられている。また、下部ユニット１２は、排出口２４から装置前方側に向けて引き出し可能な排紙トレイ１８を備えている。排紙トレイ１８は、下部ユニット１２の底部に収納された状態（図１参照）と、装置前面側に引き出された状態（図２参照）とを取り得る。また、本実施例において排紙トレイ１８は複数のトレイ部材を連結して構成されており、排出される用紙Ｐの長さに応じて、排出口２４からの引き出し長さを調整可能である。
【００４０】
＜＜＜画像読取装置における搬送路について＞＞＞
次いで、図３を参照して、画像読取装置１０における用紙Ｐの搬送路２６について説明する。下部ユニット１２に対して装置背面側に回動した姿勢にあるカバー部１６の裏面１６ａに設けられた載置部２２に用紙Ｐが載置される。載置部２２に載置された用紙Ｐは、下部ユニット１２に対して回転可能に設けられた「送りローラー」としての第１給送ローラー２８により給送方向下流側に給送される。尚、図示しないが第１給送ローラー２８が設けられた位置には用紙戻しレバーが設けられ、用紙Ｐの重送を防止している。
【００４１】
第１給送ローラー２８の給送方向下流側には、下部ユニット１２に「送りローラー」としての第２給送ローラー３０が回転可能に設けられ、上部ユニット１４に分離ローラー３２が回転可能に設けられている。尚、本実施例において分離ローラー３２には所定の回転抵抗が与えられている。そして、第１給送ローラー２８により給送された複数の用紙Ｐは、分離ローラー３２により分離され、第２給送ローラー３０と接している用紙Ｐのみが第２給送ローラー３０と分離ローラー３２とにニップされて給送方向下流側に給送される。
【００４２】
第２給送ローラー３０の給送方向下流側には搬送ローラー対３４、「画像読取手段」としての画像読取部３６及び排出ローラー対３８が設けられている。第２給送ローラー３０及び分離ローラー３２によりニップされて給送方向下流側に給送された用紙Ｐは搬送ローラー対３４にニップされて、搬送ローラー対３４の下流側に位置する画像読取部３６に搬送される。
【００４３】
尚、搬送ローラー対３４は下部ユニット１２に設けられた搬送駆動ローラー３４ａと、上部ユニット１４に設けられ、搬送駆動ローラー３４ａに対して従動回転する搬送従動ローラー３４ｂを備えている。
【００４４】
ここで、画像読取部３６は、上部ユニット１４側に設けられた上部読み取りユニット４０と、下部ユニット１２側に設けられた下部読み取りユニット４２とを備えている。本実施例において、上部読み取りユニット４０及び下部読み取りユニット４２は「読み取りユニット」として構成され、一例として密着型イメージセンサーモジュール（ＣＩＳＭ）として構成されている。
【００４５】
用紙Ｐは、画像読取部３６において用紙Ｐの表面及び裏面の少なくとも一方の面の画像を読み取られた後、画像読取部３６の搬送方向下流側に位置する排出ローラー対３８にニップされて排出口２４から排紙トレイ１８に向けて排出される。尚、用紙Ｐは排出口２４から排紙トレイ１８に向けて排出される際、排出口２４周辺に設けられた除電部材４４と接触し、あるいは近接する。これにより後述するが帯電状態の用紙Ｐは除電部材４４により除電される。尚、本実施例において「除電する」とは、帯電した用紙Ｐの電荷を用紙Ｐから完全に除去するものだけでなく、用紙Ｐの電荷の少なくとも一部を除電し、用紙Ｐの電位を下げることも含まれている。
【００４６】
また、本実施例において排出ローラー対３８は下部ユニット１２に設けられた排出駆動ローラー３８ａと、上部ユニット１４に設けられ、排出駆動ローラー３８ａに対して従動回転する排出従動ローラー３８ｂを備えている。
【００４７】
また、本実施例において第１給送ローラー２８、第２給送ローラー３０、搬送駆動ローラー３４ａ及び排出駆動ローラー３８ａは、下部ユニット１２内に設けられた少なくとも１つの駆動源（不図示）により回転駆動させられる。
【００４８】
また、本実施例において下部ユニット１２内には制御部４６が設けられている。本実施例において制御部４６は、複数の電子部品を備える電気回路として構成されている。制御部４６は、上部読み取りユニット４０、下部読み取りユニット４２及び前記駆動源を制御している。
【００４９】
また、制御部４６は画像読取装置１０における用紙Ｐの搬送及び画像読取動作を制御するように構成されている。また、制御部４６は外部（ＰＣなど）からの指示で画像読取装置１０における原稿読取動作の実行に必要な動作を制御してもよい。
【００５０】
＜＜＜除電部材について＞＞＞
図４に示すように、本実施例において画像読取装置１０の排出口２４には、除電部材４４が取付部６４（図３参照）に着脱可能に取り付けられている。本実施例において取付部６４は上部ユニット１４の一部を成し、搬送路２６の一部を構成している。本実施例において除電部材４４は、画像読取装置１０の排出口２４において装置幅方向に延設されている。具体的には、除電部材４４は、排出口２４において搬送されてきた用紙Ｐと対向するように配置されている。そして、除電部材４４は装置幅方向において少なくとも用紙Ｐの搬送領域、すなわち用紙Ｐの幅に対応する長さに設定されている。
【００５１】
また、除電部材４４は、図５ないし図６（Ｂ）に示すように基体部４８と、ブラシ部５０とを備えている。基体部４８は図６（Ａ）に示すように断面形状が台形状に形成されている。また、基体部４８は装置幅方向に延び、本実施例において樹脂材料で形成されている。また、本実施例において基体部４８の上部には、少なくとも１つのフック状の掛止部４８ａが設けられている。
【００５２】
また、本実施例において基体部４８は樹脂材料で形成されているので、基体部４８の成形色は樹脂材料の色に対応する。すなわち、基体部４８の成形色は、樹脂材料の色に応じて変更可能であるので、画像読取装置１０に取り付けた除電部材４４のデザイン性を向上させることができる。
【００５３】
また、基体部４８の装置背面側（図６（Ａ）における＋Ｙ軸方向側）にはブラシ部５０が着脱可能に取り付けられている。具体的には、ブラシ部５０は基体部４８に締結部材（不図示）やスナップフィット等により取り付けられている。また、本実施例においてブラシ部５０は基体部４８の装置背面側に取り付けられているので、除電部材４４が画像読取装置１０に取り付けられている状態（図３及び図４参照）においてブラシ部５０へのアクセスを難しくすることができる。
【００５４】
本実施例において、ブラシ部５０は、板金部材５２と、導電シート部材５４と、ブラシ５６とを備えている。本実施例において板金部材５２は、装置幅方向に延びる平板状の金属部材として構成されている。また、本実施例において板金部材５２の図５におけるＸ軸方向側の端部には舌片部５２ａが形成されている。
【００５５】
また、導電シート部材５４には、ブラシ５６が取り付けられている。本実施例においてブラシ５６は、間隔をおいて配置された複数の毛束を有し、各毛束は所定の毛束密度に設定されている。本実施例においてブラシ５６は、ＳＵＳ材により構成されている。また、本実施例において導電シート部材５４は、一例としてアルミシートとして構成されている。
本実施例において導電シート部材には、両面粘着シート５５が貼り付けられている（図６（Ｂ）参照）。そして、ブラシ５６が取り付けられた導電シート部材５４は、板金部材５２に両面粘着シート５５を介して貼り付けられている。
【００５６】
また、本実施例において除電部材４４が画像読取装置１０に取り付けられると、図５に示すように板金部材５２の舌片部５２ａは、画像読取装置１０に設けられた端子５８と接触するように構成されている。本実施例において端子５８は、図８に示すように上部ユニット１４に設けられている。端子５８は、上部ユニット１４に設けられた導電部材６０（図８参照）に、端子５８から延びるケーブル６２Ａにより接続されている。そして、導電部材６０は、該導電部材から延びるケーブル６２Ｂにより下部ユニット１２に設けられた接地（アース）部（不図示）に接続されている。つまり、除電部材４４は、舌片部５２ａ、端子５８及び導電部材６０を介して接地されている。
【００５７】
また、図７を参照して、除電部材４４の画像読取装置１０における取付状態について説明する。本実施例において取付部６４には、一例として穴状の被掛止部６６が複数設けられている。本実施例において複数の被掛止部６６は、取付部６４において搬送される用紙Ｐの面と交差する方向、一例として略直交する方向に適宜間隔をおいて設けられている。
【００５８】
そして、穴状の被掛止部６６に、除電部材４４のフック状の掛止部４８ａを嵌合させることにより、取付部６４に対して除電部材４４の取付が行われる。本実施例では、一例として前記略直交方向において最も用紙Ｐの搬送路に近い側から順に被掛止部６６Ａ、被掛止部６６Ｂ、被掛止部６６Ｃが設けられている。尚、本実施例において、掛止部４８ａと被掛止部６６とは切換手段６７を構成する。
【００５９】
ここで、例えば、除電部材４４の掛止部４８ａが被掛止部６６Ａと嵌合している場合、除電部材４４のブラシ５６の先端は用紙Ｐの面と接触した状態（図７における実線部参照）となる。そして、除電部材４４の掛止部４８ａと嵌合させる被掛止部６６を被掛止部６６Ａから順に６６Ｂ、６６Ｃに切り換えていくことにより、ブラシ５６の先端は用紙Ｐの面から離間していく。つまり、切換手段６７は、除電部材４４の位置を用紙Ｐの面に対して略直交方向に切り換えることができる。
【００６０】
また、本実施例において掛止部４８ａと被掛止部６６Ｃとが嵌合状態にある場合、つまり除電部材４４が図７における符号４４′の位置（図７における二点鎖線部参照）にある場合でも、用紙Ｐの面とブラシ５６の先端との間でコロナ放電が発生するように、被掛止部６６Ｃの位置は設定されている。また、図７における矢印は用紙Ｐの搬送方向を示している。
【００６１】
また、本実施例では、切換手段６７は、一例として除電部材４４を略直交方向において用紙Ｐに対して３段階の位置に切換可能である。ここで、除電部材４４の用紙Ｐに対する除電性能を発揮する上で好ましい位置は、除電部材４４のブラシ５６の先端が用紙Ｐの面と接触する位置（掛止部４８ａと被掛止部６６Ａとが嵌合している状態）である。
【００６２】
しかしながら、搬送される用紙Ｐが写真紙のように表面にコーティングが成されている場合や、用紙Ｐの表面に傷が付き易い場合、用紙Ｐの表面にブラシ５６の先端が接触すると傷が付く虞があるので、除電部材４４の位置を略直交方向において用紙Ｐから離間するように切り換えることができる。具体的には、除電部材４４の掛止部４８ａと被掛止部６６Ａと嵌合状態を解消し、掛止部４８ａを被掛止部６６Ｂ、６６Ｃのいずれかと嵌合させる。これにより、用紙Ｐの表面に傷がつくことを抑制しつつ、用紙Ｐを除電できる。
【００６３】
また、ブラシ５６の毛束密度が低い場合、除電部材４４の除電性が低下するのでブラシ５６の先端を用紙Ｐに接近させる必要がある。つまり、除電部材４４を掛止部４８ａと被掛止部６６Ａとが嵌合する位置に設定する。逆に、ブラシ５６の毛束密度が高い場合、除電部材４４の除電性が高いので、ブラシ５６の先端を用紙Ｐに接近させなくともよい。つまり、除電部材４４を掛止部４８ａと被掛止部６６Ｂ、あるいは６６Ｃとが嵌合する位置に設定できる。
【００６４】
また、用紙Ｐの材質に依存する用紙Ｐの帯電性が高い場合は、除電部材４４の除電性を高める必要があるので、用紙Ｐの表面に生じる傷を考慮しつつ、略直交方向における除電部材４４の用紙Ｐの面に対する位置を設定する。
【００６５】
ここで、除電部材４４における除電のメカニズムを簡単に説明する。用紙Ｐは、第１給送ローラー２８及び第２給送ローラー３０により搬送される際、これらのローラーと接触し、摩擦により静電気が発生し帯電する。また、同様に用紙Ｐが搬送路２６（図３参照）を搬送される際、用紙Ｐの一部が搬送路２６の一部と接触し、摩擦により帯電する。そして、帯電された用紙Ｐが図７に示すようにブラシ５６の先端に近づくと、ブラシ５６の先端と用紙Ｐとの間でコロナ放電が発生する。
【００６６】
このコロナ放電により、空気分子が電離され、イオン化させられる。そして、用紙Ｐの電荷と逆極性のイオンにより用紙Ｐの電荷が中和されて用紙Ｐは除電される。
【００６７】
＜＜＜第１の実施例の変更例＞＞＞
（１）本実施例において、ブラシ５６の材質はＳＵＳ材としたが、これに代えて、ブラシ５６の材質をアクリル材、ナイロン材としてもよい。これらの材質でブラシ５６を構成する場合は、アクリル材、ナイロン材の表面に金属を蒸着させて導電性を得る構成とする。この構成では、ブラシ５６をＳＵＳ材で構成する場合に比べて、除電性が低下するので、より用紙Ｐの面に近い位置で除電する必要がある。また、アクリル材、ナイロン材はＳＵＳ材に比べて柔らかい材質であるので、用紙Ｐと接触した際の用紙Ｐの表面に傷が付くことを抑制できる。
（２）また、本実施例において板金部材５２には舌片部５２ａを設ける構成としたが、この構成に代えて、図９に示すように板金部材５２から突出し、折れ曲がって弾性力を発揮する板ばね部６８を設ける構成としてもよい。このように構成することにより、端子５８との接触がより確実となり、除電部材４４のアースを確実にできる。
【００６８】
（３）また、本実施例において、取付部６４は上部ユニット１４の一部を成し、搬送路２６の一部を構成したが、この構成に代えて、取付部６４は画像読取装置１０の外観を構成するハウジング部材に設けてもよく、上部ユニット１４において搬送路の一部を構成しない部材やフレーム部材、また搬送路２６に面していない部材等に設ける構成であってもよい。
（４）また、本実施例において取付部６４において被掛止部６６は、用紙Ｐの面と略直交方向に間隔をおいて設ける構成としたが、用紙搬送方向上流側方向又は下流側方向に傾斜して延びる方向に間隔をおいて設ける構成としてもよく、用紙搬送方向に沿って間隔をおいて設ける構成としてもよい。
【００６９】
（５）また、本実施例において導電シート部材５４は板金部材５２に両面粘着シート５５により貼り付ける構成としたが、この構成に代えて、導電シート部材５４を板金部材５２に接着材や粘着材等により取り付ける構成としてもよい。
（６）また、本実施例において、ブラシ５６の複数の毛束においてその密度を所定の密度に設定したが、毛束密度を適宜変更してもよく、また、各毛束における密度をそれぞれ異なる構成とすることもできる。
【００７０】
■■■第２の実施例■■■■
図１０（Ａ）及び図１０（Ｂ）を参照して第２の実施例について説明する。第２の実施例では、取付部７０に設けた被掛止部７２を用紙Ｐの搬送方向と交差する方向、すなわち用紙Ｐの幅方向に適宜間隔をおいて複数設ける点で第１の実施例と異なる。
【００７１】
図１０を参照するに上部ユニット１４の一部を構成する取付部７０には、用紙幅方向に沿って適宜間隔をおいて穴状の複数の被掛止部７２が設けられている。本実施例では、除電部材４４には、用紙幅方向に間隔をおいて一対の掛止部４８ａ、４８ａが設けられている。そして、一例として取付部７０には各掛止部４８ａに対応して３箇所の被掛止部７２Ａ、７２Ｂ、７２Ｃがそれぞれ設けられている。また、３箇所の被掛止部７２Ａ、７２Ｂ、７２Ｃは、用紙Ｐの面と略直交する方向において用紙Ｐの面に対して同じ位置に位置している。尚、本実施例において、掛止部４８ａと被掛止部７２とは切換手段７３を構成する。
【００７２】
図１０（Ａ）は除電部材４４の掛止部４８ａと取付部７０の被掛止部７２Ｂとが嵌合している状態における除電部材４４の用紙幅方向での位置を示している。そして、除電部材４４の掛止部４８ａを被掛止部７２Ｂとの嵌合状態を解消させて、その後、図１０（Ｂ）に示すように被掛止部７２Ｃと嵌合させることにより、取付部７０に対する除電部材４４の用紙幅方向への位置の切換、具体的には図１０（Ｂ）においては−Ｘ軸方向側への位置切換が行われる。つまり、切換手段７３は、除電部材４４の位置を用紙Ｐの幅方向（図１０（Ａ）及び図１０（Ｂ）におけるＸ軸方向）に対して切り換えることができる。尚、図１０（Ａ）及び図１０（Ｂ）における矢印は用紙Ｐの搬送方向を示している。
【００７３】
＜＜＜第２の実施例の変更例＞＞＞
（１）本実施例において１つの掛止部４８ａに対して用紙幅方向に３つの被掛止部７２Ａ、７２Ｂ、７２Ｃを設ける構成としたが、この構成に限定されず、被掛止部７２の数は２つ以上であればよい。また、掛止部４８ａの数も適宜変更可能である。
（２）また、本実施例において被掛止部７２Ａ、７２Ｂ、７２Ｃは用紙Ｐの面と略直交する方向において用紙Ｐの面から同じ位置としたが、この構成に代えて、被掛止部７２Ａ、７２Ｂ、７２Ｃの位置をそれぞれ前記略直交方向において異なるようにしてもよい。
【００７４】
■■■第３の実施例■■■■
次いで、図１１（Ａ）及び図１１（Ｂ）を参照して、第３の実施例について説明する。第３の実施例は、除電部材７４に軸状の係合部７６を設け、係合部７６を受け入れる長穴状の被係合部７８を設けた点で第１の実施例と異なる。
【００７５】
本実施例において上部ユニット１４の一部を構成する取付部８０には、長穴状の被係合部７８が設けられている。本実施例では、被係合部７８は、用紙Ｐと略直交方向に延びている。本実施例において、除電部材７４、具体的には基体部４８の用紙Ｐの幅方向における両端部には、軸状の係合部７６が設けられている。そして、軸状の係合部７６は被係合部７８内に受け入れられて係合部７６と被係合部７８とは係合している。尚、図示しないが、係合部７６は図示しない締結部材（ねじ等）により被係合部７８に対する取付位置及び取付姿勢を維持する。尚、本実施例において、係合部７６と被係合部７８とは切換手段７９を構成する。
【００７６】
より具体的に説明すると、軸状の係合部７６は、長穴状の被係合部７８の延びる方向に沿って被係合部７８内における除電部材７４の取付位置を変位させることができる。つまり、切換手段７９は、図１１（Ａ）に示すようにブラシ５６の先端が用紙Ｐの面と接触する位置から、用紙Ｐの面と略直交する方向において除電部材７４の位置を変位させることができる。尚、図１１（Ｂ）における符号７４′が付された二点鎖線部の位置は、除電部材７４の略直交方向への変位の一例を示している。
【００７７】
また、除電部材７４は被係合部７８内において係合部７６の軸周りに揺動可能である。具体的には、切換手段７９は、除電部材７４を図１１（Ａ）に示すブラシ５６が用紙Ｐの面と略直交する姿勢から、図１１（Ｂ）において実線で示すようにブラシ５６を用紙Ｐの搬送方向に倣う方向に傾斜した姿勢に切り換えることができる。
【００７８】
＜＜＜第３の実施例の変更例＞＞＞
本実施例では、被係合部７８の延びる方向を用紙Ｐの面と略直交方向に設定したが、この構成に代えて、用紙Ｐの搬送方向上流側方向又は下流側方向に傾斜して延びる方向であってもよく、用紙Ｐの搬送方向に沿って延びていてもよい。
【００７９】
＜＜＜第１の実施例ないし第３の実施例の変更例＞＞＞
第１の実施例ないし第３の実施例において除電部材４４及び７４は用紙Ｐの幅方向において単一の部材として構成したが、この構成に代えて用紙Ｐの幅方向において複数に分割可能に構成してもよい。
【００８０】
■■■第４の実施例■■■■
図１２を参照して、第４の実施例について説明する。本実施例では、第１の実施例ないし第３の実施例に係る除電部材４４、７４を「記録装置」としてのプリンター８２に適用したものである。尚、本実施例では、一例として第１の実施例における除電部材４４を適用した場合について説明する。
【００８１】
図１２に示すようにプリンター８２には、搬送ローラー対８４、キャリッジ８６、記録ヘッド８８、媒体支持部材９０、排出ローラー対９２、除電部材４４及び排紙トレイ９４が用紙Ｐの搬送方向に沿って順に設けられている。キャリッジ８６は、図１２における紙面に対して交差する方向に移動可能に構成されている。また、キャリッジ８６の下部には、用紙Ｐと対向した状態でインクを用紙Ｐに向けて吐出可能な記録ヘッド８８が設けられている。また、記録ヘッド８８の下方には、記録ヘッド８８と対向し、用紙Ｐを下方から支持する媒体支持部材９０が設けられている。
【００８２】
記録ヘッド８８の搬送方向下流側には、排出ローラー対９２が設けられている。そして、排出ローラー対９２の搬送方向下流側には取付部９６に取り付けられた除電部材４４が設けられている。また、除電部材４４の搬送方向下流側には、排紙トレイ９４が設けられている。尚、本実施例において取付部９６は、一例としてプリンター８２の一部を構成する部材である。
【００８３】
記録ヘッド８８により記録された用紙Ｐは搬送方向に沿って排出ローラー対９２によりニップされ、搬送方向下流側に設けられた排紙トレイ９４に向けて排出される。そして、用紙Ｐが排出ローラー対９２によりニップされて排出される際、用紙Ｐは、除電部材４４のブラシ５６と接触し、あるいはブラシ５６に対してブラシ５６と用紙Ｐとの間でコロナ放電が起きる程度の距離が離れた位置を通過する。これにより、排出ローラー対９２から排出される用紙Ｐは、除電部材４４により除電された後、排紙トレイ９４に排出されて積載される。
【００８４】
上記説明をまとめると、媒体搬送装置としての画像読取装置１０は、用紙Ｐを搬送路２６に沿って搬送する第１給送ローラー２８及び第２給送ローラー３０と、第１給送ローラー２８及び第２給送ローラー３０により搬送される用紙Ｐを除電する除電部材４４、７４と、除電部材４４、７４が着脱可能に取り付けられる取付部６４、７０、８０と、取付部６４、７０、８０における除電部材４４、７４の取付位置及び取付姿勢の少なくともいずれかを切換可能な切換手段６７、７３、７９とを備えている。
【００８５】
上記構成によれば、取付部６４、７０、８０における除電部材４４、７４の取付位置及び取付姿勢の少なくともいずれかを切換可能な切換手段６７、７３、７９を備えているので、取付部６４、７０、８０における除電部材４４、７４の取付位置及び取付姿勢の少なくともいずれかを容易に調整できる。その結果、画像読取装置１０において要求される除電性能に応じた除電部材４４、７４を取付部６４、７０、８０に配置できるので、画像読取装置１０の除電性能を良好にできる。
【００８６】
また、画像読取装置１０において切換手段６７、７９は、搬送される用紙Ｐの面に対して交差する方向において除電部材４４、７４の位置を複数の位置に切換可能に構成されている。したがって、取付部６４、８０において除電部材４４、７４の除電性能を充分に発揮できる位置に除電部材４４、７４を配置できるので、画像読取装置１０における除電性能を向上させることができる。
【００８７】
また、画像読取装置１０において、切換手段７９は、搬送される用紙Ｐの面に対して除電部材７４の取付姿勢を切換可能に構成されている。したがって、除電部材７４の取付姿勢を切り換えることにより、画像読取装置１０における除電部材７４の除電性能を調整できる。
【００８８】
また、画像読取装置１０において、切換手段７９は除電部材７４を用紙Ｐの搬送方向に倣う方向に傾斜した姿勢に切換可能に構成されている。したがって、除電部材７４の取付姿勢を用紙Ｐの搬送方向に倣う方向に傾斜した姿勢とした場合、除電部材７４と搬送される用紙Ｐとが接触する際に生じる擦過音を低減できる。
【００８９】
また、画像読取装置１０において、切換手段７３は、搬送される用紙Ｐの搬送方向に対して交差する方向に沿って除電部材４４の位置を複数の位置に切換可能に構成されている。
【００９０】
また、画像読取装置１０において、切換手段６７、７３は、少なくとも１つの掛止部４８ａと、掛止部４８ａと係合し、用紙Ｐの面と交差する方向又は用紙Ｐの搬送方向と交差する方向において除電部材４４の位置決めを行う複数の被掛止部６６、７２とを備えている。
【００９１】
上記構成によれば、切換手段６７、７３は用紙Ｐの面と交差する方向又は用紙Ｐの搬送方向と交差する方向における複数の被掛止部６６、７２と少なくとも１つの掛止部４８ａとを係合させるので、除電部材４４の位置決めを容易に行うことができるとともに切換手段６７、７３の構成を簡素化でき、コストダウンを図ることができる。
【００９２】
また、画像読取装置１０において、切換手段７９は、用紙Ｐの面と交差する方向に延びる長穴状の被係合部７８と、被係合部７８に受け入れられ、被係合部７８内における該被係合部７８との係合位置を前記交差する方向において変位可能な係合部７６とを備えている。
【００９３】
上記構成によれば、係合部７６は用紙Ｐの面と交差する方向に延びる長穴状の被係合部７８に受け入れられて、被係合部７８との係合位置を前記交差する方向において変位可能であるので、除電部材７４の位置及び姿勢の少なくともいずれかを前記交差する方向において容易に調整できる。また、切換手段７９の構成を簡素化でき、コストダウンを図ることができる。
【００９４】
また、画像読取装置１０において、除電部材４４、７４は、取付部６４、７０、８０に取り付けられる基体部４８と、基体部４８に着脱可能に取り付けられるブラシ部５０とを備えている。この構成によれば、除電部材４４、７４においてブラシ部５０は基体部４８に着脱可能に取り付けられるので、ブラシ部５０が摩耗した際、除電部材４４、７４においてブラシ部５０のみを交換すればよいので、コストダウンを図ることができる。
【００９５】
また、画像読取装置１０において、除電部材４４、７４は、用紙Ｐの搬送方向と交差する方向において複数に分割可能に構成されている。
【００９６】
この構成によれば、除電部材４４、７４は用紙Ｐの搬送方向と交差する方向である用紙幅方向において複数に分割可能に構成されている。ここで、例えば、複数のサイズの用紙Ｐを搬送可能な画像読取装置１０において、複数のサイズの用紙Ｐが用紙Ｐの搬送方向と交差する方向である用紙幅方向において搬送路２６の中央部分を通過するように構成されている場合、搬送路２６の中央部分に対応する除電部材４４、７４はその他の部分の除電部材よりも摩耗が大きくなる。本構成では、摩耗した部分を交換でき、摩耗していない部分は継続して使用可能であるので、除電部材４４、７４における交換部位を少なくできるのでコストダウンを図ることができる。
【００９７】
また、画像読取装置１０は、搬送路２６に沿って搬送される用紙Ｐを読取可能な画像読取部３６を備えている。
【００９８】
また、プリンター８２は、除電部材４４、７４と、搬送路２６に沿って搬送される用紙Ｐに記録を実行する記録ヘッド８８とを備えている。
【００９９】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１００】
１０  画像読取装置、１２  下部ユニット、１４  上部ユニット、１６  カバー部、
１６ａ  裏面、１８、９４  排紙トレイ、２０  給送口、２２  載置部、２４  排出口、
２６  搬送路、２８  第１給送ローラー、３０  第２給送ローラー、３２  分離ローラー、
３４  搬送ローラー対、３４ａ  搬送駆動ローラー、３４ｂ  搬送従動ローラー、
３６  画像読取部、３８  排出ローラー対、３８ａ  排出駆動ローラー、
３８ｂ  排出従動ローラー、４０  上部読み取りユニット、４２  下部読み取りユニット、
４４、７４  除電部材、４６  制御部、４８  基体部、４８ａ  掛止部、５０  ブラシ部、
５２  板金部材、５２ａ  舌片部、５４  導電シート部材、５５  両面粘着シート、
５６  ブラシ、５８  端子、６０  導電部材、６２Ａ、６２Ｂ  ケーブル、
６４、７０、８０、９６  取付部、
６６、６６Ａ、６６Ｂ、６６Ｃ、７２、７２Ａ、７２Ｂ、７２Ｃ  被掛止部、
６７、７３、７９  切換手段、６８  板ばね部、７６  係合部、７８  被係合部、
８２  プリンター、８４  搬送ローラー対、８６  キャリッジ、８８  記録ヘッド、
９０  媒体支持部材、９２  排出ローラー対、Ｐ  用紙
【図１】
2017071461.tif 000003
【図２】
2017071461.tif 000004
【図３】
2017071461.tif 000005
【図４】
2017071461.tif 000006
【図５】
2017071461.tif 000007
【図６】
2017071461.tif 000008
【図７】
2017071461.tif 000009
【図８】
2017071461.tif 000010
【図９】
2017071461.tif 000011
【図１０】
2017071461.tif 000012
【図１１】
2017071461.tif 000013
【図１２】
2017071461.tif 000014